(57)【特許請求の範囲】
【請求項１】
商品に添付のＩＣタグに記録された、携帯端末によるくじの実行結果に基づいて、商品の割引を行うシステムであって、
前記携帯端末の端末ＩＤを読み取る端末ＩＤ読み取り手段と、
商品添付のＩＣタグからくじ履歴を読み取るくじ履歴読み取り手段と、
商品に付されたバーコードから商品ＩＤを読み取る商品ＩＤ読み取り手段と、
前記端末ＩＤ読み取り手段、前記くじ履歴読み取り手段、前記商品ＩＤ読み取り手段に接続されたレジスタと、を備え、
前記レジスタは、商品ＩＤに対応した正規販売価格を有するとともに、
前記読み取ったくじ履歴の最後の記録に含まれる端末ＩＤと、前記端末ＩＤ読み取り手段が読み取った端末ＩＤとの比較を行う比較手段と、
前記くじ履歴の最後の記録に含まれる割引値を利用して、前記正規販売価格を基に、前記読み取った商品ＩＤに対応する商品の割引販売価格を算出する割引販売価格算出手段と、
を有することを特徴とする割引処理システム。
【請求項２】
前記携帯端末は、
当該携帯端末の端末ＩＤを記録したＩＣタグと、
くじの実行権を示す実行権情報を記憶した記憶手段と、
商品に添付されたＩＣタグから、当該商品の商品ＩＤを読み取る商品ＩＤ読み取り手段と、
当該読み取った商品ＩＤを用いて前記記憶手段を参照し、実行権の有無を判断する実行権判断手段と、
実行権が存在する場合に、くじの実行を行うくじ実行手段と、
前記くじの実行結果を表示する表示手段と、
前記くじの実行結果を、前記商品に添付されたＩＣタグに記録するくじ結果記録手段と、を有し、
前記端末ＩＤ読み取り手段は、前記ＩＣタグから前記携帯端末の端末ＩＤを読み取ることを特徴とする請求項１に記載の割引処理システム。
【請求項３】
前記携帯端末は、
当該携帯端末の端末ＩＤを記録したＩＣタグと、
商品に添付されたＩＣタグから、当該商品の商品ＩＤを読み取る商品ＩＤ読み取り手段と、
前記くじの実行結果を表示する表示手段と、
前記くじの実行結果を、前記商品に添付されたＩＣタグに記録するくじ結果記録手段と、を有し、
前記携帯端末と通信が可能な処理サーバが、
くじの実行権を示す実行権情報を記憶した記憶手段と、
当該読み取った商品ＩＤを用いて前記記憶手段を参照し、実行権の有無を判断する実行権判断手段と、
実行権が存在する場合に、くじの実行を行うくじ実行手段と、を有し、
前記端末ＩＤ読み取り手段は、前記ＩＣタグから前記携帯端末の端末ＩＤを読み取ることを特徴とする請求項１に記載の割引処理システム。
【請求項４】
前記割引値は、割引額または割引率であることを特徴とする請求項１から請求項３のいずれか一項に記載の割引処理システム。
【発明の詳細な説明】
【技術分野】
【０００１】
本発明は、店舗等において、携帯型端末を利用して、くじ引きを実行するとともに、その結果を販売価格に反映させるための技術に関する。
【背景技術】
【０００２】
従来より、販売促進のため、スクラッチカード等を利用したくじ引きが行われている。また、最近では、コンピュータ技術を利用して様々なくじ引きが行われるようになってきている。
【発明の開示】
【発明が解決しようとする課題】
【０００３】
しかしながら、上記従来のくじ引きは、商品の購入後に行われており、商品の購入前に行われるものはなかった。
【０００４】
そこで、本発明は、店舗等において、商品の購入前にくじ引きを行い、その結果を商品の販売価格に反映させることが可能なくじ実行システムおよび割引処理システムを提供することを課題とする。
【課題を解決するための手段】
【０００５】
上記課題を解決するため、本発明に係る割引処理システムは、商品に添付のＩＣタグに記録された、携帯端末によるくじの実行結果に基づいて、商品の割引を行うシステムであって、前記携帯端末の端末ＩＤを読み取る端末ＩＤ読み取り手段と、商品添付のＩＣタグからくじ履歴を読み取るくじ履歴読み取り手段と、商品に付されたバーコードから商品ＩＤを読み取る商品ＩＤ読み取り手段と、前記端末ＩＤ読み取り手段、前記くじ履歴読み取り手段、前記商品ＩＤ読み取り手段に接続されたレジスタと、を備え、前記レジスタは、商品ＩＤに対応した正規販売価格を有するとともに、前記読み取ったくじ履歴の最後の記録に含まれる端末ＩＤと、前記端末ＩＤ読み取り手段が読み取った端末ＩＤとの比較を行う比較手段と、前記くじ履歴の最後の記録に含まれる割引値を利用して、前記正規販売価格を基に、前記読み取った商品ＩＤに対応する商品の割引販売価格を算出する割引販売価格算出手段と、を有する構成としたことを特徴とする。
【０００６】
本発明に係る割引処理システムは、さらに、前記携帯端末は、当該携帯端末の端末ＩＤを記録したＩＣタグと、くじの実行権を示す実行権情報を記憶した記憶手段と、商品に添付されたＩＣタグから、当該商品の商品ＩＤを読み取る商品ＩＤ読み取り手段と、当該読み取った商品ＩＤを用いて前記記憶手段を参照し、実行権の有無を判断する実行権判断手段と、実行権が存在する場合に、くじの実行を行うくじ実行手段と、前記くじの実行結果を表示する表示手段と、前記くじの実行結果を、前記商品に添付されたＩＣタグに記録するくじ結果記録手段と、を有し、前記端末ＩＤ読み取り手段は、前記ＩＣタグから前記携帯端末の端末ＩＤを読み取ることを特徴とする。
【発明の効果】
【０００７】
本発明に係る割引処理システムによれば、携帯端末から端末ＩＤ、商品添付のＩＣタグからくじ履歴、商品から商品ＩＤをそれぞれ読み取り、くじ履歴の最後の記録に含まれる端末ＩＤと、携帯端末から読み取った端末ＩＤが一致する場合に、くじ履歴の最後の記録に含まれる割引値に基づいて、割引販売価格を算出するようにしたので、くじ結果を反映した迅速な割引処理が可能となるという効果を奏する。
【０００８】
本発明に係る割引処理システムによれば、携帯端末にくじの実行権を記録しておくとともに、商品に添付したＩＣタグに商品ＩＤを記録しておき、携帯端末が、ＩＣタグから商品ＩＤを読み取り、実行権がある場合にくじを実行して、その結果を携帯端末の画面に表示するとともに、ＩＣタグに記録するようにしたので、商品購入前に簡易に商品を利用したくじを実行し、くじ結果に従った割引処理が可能となるという効果を奏する。
【発明を実施するための最良の形態】
【０００９】
以下、本発明の好適な実施形態について、図面を参照して詳細に説明する。
（くじ実行システムの構成）
図１は、本発明に係るくじ実行システムの構成を示す図である。図１において、１０は携帯端末、２０は商品、３０はＩＣタグである。
【００１０】
携帯端末１０は、ＩＣタグからのデータの読み込み、およびＩＣタグへのデータの書込みを非接触で行う機能を有する携帯型の端末装置であり、市販の携帯電話機にＩＣタグＲ／Ｗ（リーダライタ）１１を搭載するとともに、端末ＩＤを記録したＩＣタグ１２を内蔵することにより実現される。なお、ＩＣタグＲ／Ｗ１１は、ＩＣタグ３０のプロトコルに対応し、ＩＣタグ３０の読み取りに利用されるものである。ＩＣタグ１２とはプロトコルが異なるため、ＩＣタグ１２の読み取りを行うことはない。また、携帯端末１０は、専用のソフトウェアを搭載することにより、くじ引きの実施に必要な処理を実行する機能を有している。商品２０は、店舗内で販売されている商品であり、図１の例では、箱体であるが、ＩＣタグ３０が取り付け可能な形状であればどのような形状であっても良い。ＩＣタグ３０は、非接触方式のＩＣタグである。非接触方式のＩＣタグとは、プラスチック等の基材にコイルパターンを形成し、このコイルと容量素子とにより共振回路を形成して一定周波数の電波を受信し送信することができるように構成されたものであり、非接触データキャリアやＲＦ−ＩＤとも呼ばれる。なお、ＩＣタグ３０の商品２０への取り付け手法は、貼着等様々な手法により行うことができる。
【００１１】
上述のように、携帯端末１０は、専用のソフトウェアを搭載することにより、くじ引きに必要な機能を備えることになる。このようなソフトウェアを携帯端末１０にインストールすると、携帯端末１０内の記憶領域内に、くじ引きの実施に必要なデータが記録される。ここで、携帯端末１０内に記録されたデータの一例を図２に示す。くじ引きの実施に必要なデータとしては、図２（ａ）に示すようなくじキャンペーンごとの実行権情報、図２（ｂ）に示すようなキャンペーン詳細情報が記録される。
【００１２】
キャンペーンごとの実行権情報は、キャンペーンＩＤと各キャンペーンの実行可能回数の組み合わせとして記録される。例えば、図２（ａ）の例では、キャンペーンＩＤ“Ｃ００１”のキャンペーンは、３回実行可能であることを示している。この実行可能回数は、そのキャンペーンについてのくじが実行される度に１ずつ減らされ、“０”になると実行ができなくなる。すなわち、実行可能回数が１以上のキャンペーンについては実行権があり、実行可能回数が０のキャンペーンについては実行権がないことになる。キャンペーン詳細情報は、キャンペーンＩＤ別に記録されている。図２（ｂ）は、キャンペーンＩＤ“Ｃ００１”のキャンペーンについてのものを示している。図２（ｂ）の例では、キャンペーンＣ００１は、商品種別ＩＤ“Ｍ００１”〜“Ｍ００３”の３商品が対象であることを示している。また、各商品について、当選確率および割引額が記録されており、商品種別ＩＤ“Ｍ００１”の商品は、当選確率が“３０％”であり、当選した場合の割引額が“１０円”であることを示している。
【００１３】
一方、各商品２０に取り付けられたＩＣタグ３０には、その商品２０の商品種別ＩＤが記録されているとともに、携帯端末１０から書込み可能な記録領域が設けられている。
【００１４】
（くじ実行システムの処理動作）
続いて、図１に示した係るくじ実行システムの処理動作について、図３のフローチャートを用いて説明する。くじ引きに必要なソフトウェアが携帯端末１０にインストールされた状態で、利用者が店舗内において、携帯端末１０を商品２０に添付されたＩＣタグ３０に近づけると、携帯端末１０は、ＩＣタグ３０に記録された商品ＩＤを読み取る（Ｓ１）。
【００１５】
次に、携帯端末１０は、読み取った商品ＩＤを用いて、自身に実行権が存在するかどうかの判断を行う（Ｓ２）。具体的には、まず、読み取った商品ＩＤで、自身の記憶領域内に記録された実行権情報を検索し、読み取った商品ＩＤに対応するキャンペーンが存在するかどうかを確認する。対応するキャンペーンが存在しない場合は、実行権が存在しないことになる。読み取った商品ＩＤに対応するキャンペーンが存在した場合は、実行権情報において、そのキャンペーンＩＤの実行可能回数が１以上であるかどうかを判断する。実行可能回数が０である場合は、実行権が存在しないことになる。一方、実行可能回数が１以上である場合は、実行権が存在することになる。
【００１６】
例えば、携帯端末１０が読み取った商品ＩＤが“Ｍ００１”であった場合、図２（ａ）に示すように、キャンペーン“Ｃ００１”の対象商品であり、実行権情報において、キャンペーンＣ００１の実行可能回数は３回であるので、携帯端末１０は、実行権が存在すると判断する。
【００１７】
Ｓ２において、実行権が存在しないと判断した場合は、携帯端末１０は実行権が存在しない旨を画面に表示する。この場合、くじ引きを実行するには、他の商品に添付されたＩＣタグ３０から商品ＩＤを読み取る必要がある（Ｓ１）。
【００１８】
一方、Ｓ２において、実行権が存在すると判断した場合は、携帯端末１０はくじ条件の設定を行う（Ｓ３）。具体的には、読み取った商品ＩＤに対応する当選確率および割引額をキャンペーン詳細情報から抽出し、くじ条件として設定する。
【００１９】
次に、携帯端末１０は、設定されたくじ条件に従って、くじの実行を行う（Ｓ４）。具体的には、くじ条件として設定された当選確率に相当する数を当選ナンバーと設定し、乱数を発生させ、得られた数字が、当選ナンバーとして設定された数であった場合に“当たり”とし、その他を“外れ”とする。商品Ｍ００１の場合、図２（ｂ）に示すように、当選確率は“３０％”であるので、これがくじ条件として設定される。したがって、０〜９の値を均等な確率で発生させる乱数を用いる場合、このうちの３つを当選ナンバーと設定しておけば、３０％の確率で当たりが出ることになる。くじを実行した際には、対応するキャンペーンに対応する実行可能回数を“１”だけ減じる処理を行う。
【００２０】
携帯端末１０は、くじ実行の結果を画面に表示する（Ｓ５）。続いて、携帯端末１０は、くじ実行の結果をＩＣタグ３０に記録する処理を行う（Ｓ６）。具体的には、携帯端末１０に搭載された専用プログラムが自身の端末ＩＤを読み出し、この端末ＩＤとくじ結果を対応づけたデータを作成してＩＣタグ３０に送信し、ＩＣタグ３０は、このデータを自身の記憶領域に記録することになる。ここで、ＩＣタグ３０内に記録された情報の一例を図４に示す。図４に示すように、ＩＣタグ３０には、商品ＩＤが記録されている。この商品ＩＤは当初より記録されている。そして、くじの結果が端末ＩＤと対応付けて記録される。図４の例では、７回くじが実行されたことを示している。くじ結果は、外れの場合は、そのまま“外れ”と記録され、当たりの場合は、割引額が記録される。例えば、端末ＩＤ“Ｔ００７”で特定される携帯端末１０が、商品Ｍ００１についてくじを実行し、当たった場合、くじ条件として設定された割引額は、図２（ｂ）に示したように１０円であるため、携帯端末１０は、ＩＣタグ３０のくじ結果に“１０円”と記録する。図４の例では、端末ＩＤ“Ｔ００３” “Ｔ００６”も当たっているが、これらの携帯端末１０の所有者は、くじには当たったが、この商品を買わなかったことを意味している。
【００２１】
（割引処理システムの構成）
次に、代金支払時における割引処理について説明する。図５は、代金支払時におけるレジスタと携帯端末の関係を示す図である。図５において、レジスタ４０は、店舗内で商品代金の精算を行うためのレジスタであり、汎用のレジスタ機能に加え、くじ結果に基づいて、割り引いた商品代金を算出する機能を有している。ＩＣタグリーダ５０は、携帯端末１０に内蔵されたＩＣタグ１２に記録された内容を読み取る機能を有している。ＩＣタグリーダ６０は、商品２０に添付されたＩＣタグ３０に記録された内容を読み取る機能を有している。ＩＣタグリーダ５０とＩＣタグ１２間の通信に用いられるプロトコルと、ＩＣタグリーダ６０とＩＣタグ３０間の通信に用いられるプロトコルは、別のものを採用しており、互いに混信することがないように設計されている。バーコードリーダ７０は、商品２０の表面に印刷されたバーコードに記録された内容を読み取る機能を有している。
【００２２】
（割引処理システムの処理動作）
続いて、図５に示したシステムの処理動作について、図６のフローチャートを用いて説明する。利用者が、くじの実施後、商品の代金を支払う場合には、まず、携帯端末１０をＩＣタグリーダ５０にかざす。すると、ＩＣタグリーダ５０は、携帯端末１０内のＩＣタグ１２に記録された端末ＩＤを読み取る（Ｓ１１）。次に、商品２０をＩＣタグリーダ６０にかざす。すると、ＩＣタグリーダ６０は、商品２０に添付されたＩＣタグ３０に記録されたくじ履歴を読み取る（Ｓ１２）。さらに、商品２０の表面に印刷されたバーコードに、バーコードリーダ７０の読み取り部を当てる。これは、従来のレジにおける店員の作業と同一である。これにより、バーコードリーダ７０は、商品２０表面のバーコードに記録された商品ＩＤを読み取る（Ｓ１３）。なお、Ｓ１１〜Ｓ１３の処理は、順不同であり、どのような順序で行っても良い。
【００２３】
端末ＩＤ、くじ履歴、商品ＩＤの読み取りが行われたら、次に、レジスタ４０が、くじ履歴の最後の記録を抽出し、最後に記録されている端末ＩＤと、携帯端末１０から読み取った端末ＩＤとを比較する（Ｓ１４）。比較の結果、一致しない場合は、割引処理を行わず、正規の販売価格で精算を行うことになる。一方、Ｓ１４における比較の結果、一致した場合は、割引処理を実行する（Ｓ１５）。具体的には、読み取った商品ＩＤの正規販売価格をレジスタ内部から取得し、くじ履歴の最後の記録の割引額を、取得した正規販売価格から減算することにより、割引販売価格を算出する。そして、その商品は、割引販売価格で販売されることになる。
【００２４】
（変形例）
以上、本発明の好適な実施形態について説明したが、本発明は上記実施形態に限定されず、種々の変形が可能である。例えば、上記実施形態では、くじ結果として、くじを実行した端末ＩＤと、割引額の組み合わせをＩＣタグ３０に記録するようにしたが、割引額に代えて、割引率を記録しても良い。割引率を記録した場合は、割引処理の際、レジスタ４０は割引率を利用して割引販売価格を算出する。
【００２５】
また、上記実施形態では、割引処理の際、端末ＩＤをＩＣタグリーダ５０で、くじ履歴をＩＣタグリーダ６０で、商品ＩＤをバーコードリーダ７０で読み取るようにしたが、これに限定されるものではない。例えば、端末ＩＤについては、無線ＬＡＮ、ＺｉｇＢｅｅ、赤外線通信等の無線通信でレジスタ４０に送信するようにしても良いし、端末ＩＤを記録したバーコードを携帯端末１０の画面に表示し、バーコードリーダで読み取るようにしても良い。商品ＩＤについては、ＩＣタグ３０に記録された商品ＩＤをＩＣタグリーダ６０で読み取るようにしても良い。
【００２６】
また、上記実施形態におけるくじ実行システムでは、携帯端末１０が有する機能のみにより、くじの実行を行うようにしたが、実行権情報やキャンペーン詳細情報の記憶領域、くじ実行機能を処理サーバに備えておき、携帯端末１０と連携してくじの実行を行うようにしても良い。この場合、携帯端末１０と処理サーバが無線を介してデータ通信が可能なように構成しておき、携帯端末１０が読み取った商品ＩＤを、処理サーバに送信する。そして、図２に示したＳ２〜Ｓ４に相当する実行権の判断、くじ条件の設定、くじの実行を処理サーバで行い、くじ結果を、携帯端末１０に返信する。そして、携帯端末１０は、くじ結果の表示（Ｓ５）およびくじ結果の記録を行う（Ｓ６）。
【００２７】
また、くじ結果を利用して割引処理を行うだけでなく、くじ履歴全てをレジスタ４０を介して取り込み、蓄積するようにしても良い。蓄積したくじ履歴を分析することにより、キャンペーンの利用状況の調査データとして利用することができる。
【図面の簡単な説明】
【００２８】
【図１】本発明に係るくじ実行システムの構成を示す図である。
【図２】携帯端末１０内の記録データの一例を示す図である。
【図３】図１に示したシステムの処理動作を示すフローチャートである。
【図４】ＩＣタグ３０の記録情報を示す図である。
【図５】本発明に係る割引処理システムの構成を示す図である。
【図６】図５に示したシステムの処理動作を示すフローチャートである。
【符号の説明】
【００２９】
１０・・・携帯端末
１１・・・ＩＣタグＲ／Ｗ
１２・・・ＩＣタグ
２０・・・商品
２１・・・バーコード
３０・・・ＩＣタグ
４０・・・レジスタ
５０、６０・・・ＩＣタグリーダ
７０・・・バーコードリーダ
【図１】
0004713311.tif 000002
【図２】
0004713311.tif 000003
【図３】
0004713311.tif 000004
【図４】
0004713311.tif 000005
【図５】
0004713311.tif 000006
【図６】
0004713311.tif 000007